(57)【要約】【課題】  外部装置類や付属装置類を作動させるための制御信号とＸ線制御装置の信号ポートとの対応関係の設定を容易にする。【解決手段】  この発明のＸ線制御装置は、外部装置類や必要に応じて設けられる付属装置類を作動させるための制御信号を通す信号ポートＨ１〜Ｈ４，Ｋ１〜Ｋ８と、各信号ポートＨ１〜Ｈ４，Ｋ１〜Ｋ８が通す制御信号の種類を信号ポートと対応付けて指定された信号種類指定情報を記憶する信号種類記憶部１０を備えている。信号種類記憶部１０に信号種類指定情報を記憶するには、操作表示用パネル部１Ｂや外部制御装置１１の入力で行う。制御信号と信号ポートの対応関係を設定する場合、操作表示用パネル部１Ｂや外部制御装置１１の入力操作で対応関係の設定に必要な信号種類指定情報を信号種類記憶部１０に予め記憶しており、その指定種類指定情報に応じて、装置内部の配線をつなぎ変える大変な作業を行わずに、制御信号と信号ポートの対応関係を容易に変更できる。【選択図】        図１
2005160692.tif 000002
【特許請求の範囲】
【請求項１】
Ｘ線を被検体に照射するＸ線照射手段と被検体の透過Ｘ線像が投影される透過Ｘ線像受像手段とを有するＸ線撮像装置が別体で設置される外部装置類や必要に応じて設けられる付属装置類を作動させるための制御信号を通す複数個の信号ポートを備えたＸ線制御装置において、各信号ポートが通す制御信号の種類を信号ポートと対応付けて指定された信号種類指定情報を記憶する信号種類記憶手段を備え、各信号ポートが信号種類記憶手段に記憶されている信号種類指定情報によって指定される種類の制御信号を通すことを特徴とするＸ線制御装置。
【請求項２】
請求項１に記載のＸ線制御装置において、信号種類記憶手段に信号種類指定情報を入力する情報入力手段をＸ線制御装置に備えるＸ線制御装置。
【請求項３】
請求項１または２に記載のＸ線制御装置において、Ｘ線撮影に必要な入力操作と情報表示の機能を有する操作表示用手段をＸ線制御装置本体と別体で配設しており、操作表示用手段が情報入力手段としての機能も有しており、操作表示用手段により信号種類指定情報の表示および入力を行うＸ線制御装置。
【請求項４】
請求項１から３のいずれかに記載のＸ線制御装置において、信号種類記憶手段に記憶される信号種類指定情報を入力する情報入力手段が、信号種類指定情報の記憶に際してＸ線制御装置に接続される外部制御装置であるＸ線制御装置。
【発明の詳細な説明】
【技術分野】
【０００１】
この発明は、Ｘ線制御装置が別体で設置される外部装置類や付属装置類を作動させるための制御信号を通す複数個の信号ポートを備えたＸ線制御装置に係り、特に、Ｘ線制御装置の信号ポートと制御信号の対応関係を設定するための技術に関する。
【背景技術】
【０００２】
病院等で使われる従来のＸ線制御装置５１は、図７に示すように構成されている。すなわち、Ｘ線を被検体Ｍに照射する天井走行式のＸ線管５２や臥伏式撮影台（ブッキーテーブル）５３や立位式撮影台（ブッキースタンド）５４を有するＸ線撮像装置５５が別体で設置される外部装置類や付属装置類（図示省略）を作動させるための各種の制御信号を通す信号ポート（図示省略）をＸ線制御装置本体５１Ａに備えている。臥伏式撮影台５３や立位式撮影台５４は被検体Ｍの透過Ｘ線像が投影されるＸ線フィルムが装填されたフィルムカセッテなどの透過Ｘ線像受像部５３Ａ，５４Ａを備えている。この他に、Ｘ線撮影に必要な入力操作と情報表示を行う操作表示用パネル部５１Ｂも、検査室Ｔに配置されるＸ線制御装置本体５１Ａと別体で操作室Ｏに設置されており、Ｘ線撮影が実行される際には、操作表示用パネル部５６による入力操作やＸ線撮影の進行状況に応じて、Ｘ線制御装置５１の信号ポートを様々な制御信号が通る。
【０００３】
Ｘ線制御装置５１の場合、通常、メーカ側が外部装置類や付属装置類の標準装備仕様を予め想定し、装置の製作段階で標準装備仕様にしたがって各信号ポート毎に信号ポートを通す制御信号の種類を定めて電気配線を実施する。具体的な標準装備仕様としては、例えば、Ｘ線管５２は３台、臥伏式撮影台５３および立位式撮影台５４が各２台、Ｘ線管５２が３台という仕様が挙げられる。
【０００４】
この標準装備仕様の場合の信号ポートを通る制御信号の種類は次の通りである。すなわち、臥伏式撮影台５３および立位式撮影台５４に関しては、出力用の制御信号として４個の撮影準備完了信号があり、入力用の制御信号として４個の撮影開始命令信号がある。直接撮影に関しては、出力用の制御信号として１個の直接撮影準備完了信号があり、入力用の制御信号として１個の直接撮影開始命令信号がある。間接撮影に関しては、出力用の制御信号として１個の間接撮影準備完了信号があり、入力用の制御信号として１個の間接撮影開始命令信号がある。Ｘ線管５２によるＸ線の曝射回数のカウントする曝射回数のカウンタ５６に関しては、（３個のＸ線管の曝射回数のカウントが可能となるように）出力用の制御信号として３個の曝射回数カウント用信号がある。合計１５個の制御信号が１５個の信号ポートに１個ずつ割り当てられる。
【発明の開示】
【発明が解決しようとする課題】
【０００５】
しかしながら、上記従来のＸ線制御装置５１は、顧客側の外部装置類や付属装置類の装備仕様が標準装備仕様と異なる場合、外部装置類ないし付属装置類を作動させるための制御信号とＸ線制御装置５１の信号ポートとの対応関係（信号ポートに対する制御信号の割り当て）の設定作業（変更作業）が大変であるという問題がある。制御信号と信号ポートの対応関係を変更するには、電気回路を確認しながら制御信号と信号ポートの対応関係を決定している装置内部の電気配線をそれぞれつなぎ変える必要となるので、手間と時間がかかる。
【０００６】
特に医療の専門化・高度化が進む昨今、外部装置類や付属装置類の装備仕様が標準装備仕様と異なる場合もあり、制御信号と信号ポートの対応関係を変更する作業が増える傾向にある。また、制御信号と信号ポートの対応関係の設定作業は現場で行われることも多いが、現場での作業には様々な制限がある。
【０００７】
この発明は、このような事情に鑑みてなされたものであって、外部装置類ないし付属装置類を作動させるための制御信号とＸ線制御装置の信号ポートとの対応関係の設定を容易に行うことができるＸ線制御装置を提供することを目的とする。
【課題を解決するための手段】
【０００８】
この発明は、このような目的を達成するために、次のような構成をとる。
すなわち、請求項1に記載の発明は、Ｘ線を被検体に照射するＸ線照射手段と被検体の透過Ｘ線像が投影される透過Ｘ線像受像手段とを有するＸ線撮像装置が別体で設置される外部装置類や必要に応じて設けられる付属装置類を作動させるための制御信号を通す複数個の信号ポートを備えたＸ線制御装置において、各信号ポートが通す制御信号の種類を信号ポートと対応付けて指定された信号種類指定情報を記憶する信号種類記憶手段を備え、各信号ポートが信号種類記憶手段に記憶されている信号種類指定情報によって指定される種類の制御信号を通すことを特徴とするものである。
【０００９】
［作用・効果］Ｘ線を被検体に照射するＸ線照射手段と被検体の透過Ｘ線像が投影される透過Ｘ線像受像手段を有するＸ線撮像装置の外部装置類や必要に応じて設けられる付属装置類を作動させるための各種の制御信号（以下、適宜「制御信号」と略記）の種類を、Ｘ線制御装置の各信号ポート（以下、適宜「信号ポート」と略記）と対応付けて信号種類指定情報として指定されている。請求項１の発明のＸ線制御装置の制御によりＸ線撮影を実行する場合は、信号種類記憶手段に記憶されている信号種類指定情報によって指定されている種類の制御信号を通すとともに、信号ポートを通過した制御信号による制御で外部装置類や付属装置類が作動するのに伴ってＸ線撮影が進行する。
【００１０】
このように、請求項１の発明のＸ線制御装置の場合、外部装置類や必要に応じて設けられる付属装置類を作動させるための制御信号を通す複数個の信号ポートと、各信号ポートが通す制御信号の種類を信号ポートと対応付けて指定された信号種類指定情報を記憶する信号種類記憶手段とを備えている。制御信号とＸ線制御装置の信号ポートとの対応関係を設定する場合は、対応関係の設定に必要な信号種類指定情報が信号種類記憶手段に予め新規に記憶または予め更新して記憶されており、その記憶された指定種類指定情報に応じて、装置内部の配線をつなぎ変える大変な作業を行わずとも、制御信号と信号ポートとの対応関係が設定できる。
【００１１】
また、請求項２に記載のＸ線制御装置において、信号種類記憶手段に信号種類指定情報を入力する情報入力手段をＸ線制御装置に備えるものである。
【００１２】
［作用・効果］請求項２の発明の装置の場合、外部装置類や付属装置類を作動させるための制御信号とＸ線制御装置の信号ポートとの対応関係を設定する場合は、情報入力手段の入力によって設定に必要な信号種類指定情報を信号種類記憶手段に新規に記憶または更新して記憶する。具体的には、信号種類指定情報が未記憶の信号ポートに対しては情報入力手段で新規の信号種類指定情報を作成して信号種類記憶手段に新規に記憶し、信号種類指定情報が記憶済の信号ポートに対しては、制御信号の種類の変更が必要であれば情報入力手段で記憶済の信号種類指定情報の指定を修正して信号種類記憶手段に更新して記憶し、制御信号の種類の変更が必要なければ、何もしない。
【００１３】
このように、請求項２の発明の装置の場合、Ｘ線制御装置に備えられている情報入力手段によって信号種類記憶手段に信号種類指定情報が記憶できるので、Ｘ線制御装置自体が制御信号と信号ポートとの対応関係を設定する機能を発揮することができる。
【００１４】
また、請求項３に記載の発明は、請求項１または２に記載のＸ線制御装置において、Ｘ線撮影に必要な入力操作と情報表示の機能を有する操作表示用手段をＸ線制御装置本体と別体で配設しており、操作表示用手段が情報入力手段としての機能も有しており、操作表示用手段により信号種類指定情報の表示および入力を行うものである。
【００１５】
［作用・効果］請求項３の発明の装置の場合、Ｘ線制御装置本体と別体で配設されている操作表示用手段によって、撮影に必要な入力操作と情報の表示がＸ線制御装置本体から離れたところで行えるだけでなく、信号種類指定情報の表示および入力も、Ｘ線制御装置本体から離れたところで行える。
【００１６】
また、請求項４に記載の発明は、請求項１から３のいずれかに記載のＸ線制御装置において、信号種類記憶手段に記憶される信号種類指定情報を入力する情報入力手段が、信号種類指定情報の記憶に際してＸ線制御装置に接続される外部制御装置であるものである。
【００１７】
［作用・効果］請求項４の発明の装置の場合、信号種類指定情報の記憶に際してＸ線制御装置に接続される外部制御装置が情報入力手段として機能して信号種類記憶手段に信号種類指定情報を記憶するので、制御信号と信号ポートとの対応関係の設定を、外部制御装置によって行うことができる。
【発明の効果】
【００１８】
この発明のＸ線制御装置の場合、外部装置類や必要に応じて設けられる付属装置類を作動させるための制御信号を通す複数個の信号ポートと、各信号ポートが通す制御信号の種類を信号ポートと対応付けて指定された信号種類指定情報を記憶する信号種類記憶手段とを備えている。制御信号とＸ線制御装置の信号ポートとの対応関係を設定する場合は、対応関係の設定に必要な信号種類指定情報が信号種類記憶手段に予め新規に記憶または予め更新して記憶されており、その記憶された指定種類指定情報に応じて、装置内部の配線をつなぎ変える大変な作業を行わずとも、制御信号と信号ポートとの対応関係を変更できる。
【００１９】
よって、この発明のＸ線制御装置によれば、外部装置類ないし付属装置類を作動させるための制御信号とＸ線制御装置の信号ポートとの対応関係の設定を容易に行うことができる。
【実施例】
【００２０】
この発明のＸ線制御装置の実施例について図面を参照しながら詳しく説明する。図１は実施例に係るＸ線制御装置の構成を示すブロック図、図２は実施例のＸ線制御装置を用いた医用Ｘ線撮影システムの構成を示す斜視図である。
【００２１】
図１に示す実施例のＸ線制御装置１が用いられている医用Ｘ線撮影システムの場合、図２に示すように、Ｘ線制御装置１に加えて、Ｘ線を被検体Ｍに照射する天井走行式のＸ線管２と被検体Ｍの透過Ｘ線像が投影されるＸ線フィルムが装填されたフィルムカセッテなどの透過Ｘ線像受像部３Ａを備えた臥伏式撮影台（ブッキーテーブル）３とを有するＸ線撮像装置４を備えている。このＸ線撮像装置４をＸ線制御装置１とは別体で設置される外部装置類として備えている。この他に、さらに必要に応じて設けられる（詳しくは後述するような）付属装置類として、曝射回数カウンタ５Ａ，選択管球表示ランプ５Ｂ，選択撮影台表示ランプ５Ｃ，メッセージ表示パネル５Ｄ，Ｘ線照射報知チャイム５Ｅを備えている。
【００２２】
実施例のＸ線制御装置１は、検査室Ｔに配置されるＸ線制御装置本体１ＡとＸ線制御装置本体１Ａとは別体で操作室Ｏに配置される操作表示用パネル部１Ｂとからなる。
【００２３】
Ｘ線制御装置本体１Ａには、装置の可動に必要なコントロールを司るメインコンピュータ６やＸ線管２に供給する高電圧を発生する高電圧発生部７などの他に、Ｘ線制御装置１とは別体で設置されるＸ線撮像装置４や必要に応じて設けられる付属装置類を作動させるための各種の制御信号を通す複数個の信号ポートＨ１〜Ｈ４，Ｋ１〜Ｋ８を備えている。信号ポートＨ１〜Ｈ４は制御信号入力用の信号ポートであり、信号ポートＫ１〜Ｋ８は制御信号出力用の信号ポートである。
【００２４】
操作表示用パネル部１ＢはＸ線撮影に必要な入力操作（例えば管電流・電圧の設定のための入力操作など）と情報表示の機能を有しており、入力操作に必要な操作スイッチ群８、および情報表示用の表示モニタ９をパネル面に備えている。なお入力操作に必要な操作スイッチ群８の中には、表示モニタ９の画面に表示される画面入力式操作スイッチ（タッチスイッチ）も図示してはいないが含まれる。また表示モニタ９としては特定のタイプに限られるものではなく、液晶タイプやブラウン管タイプの通常の表示モニタが用いられる。
【００２５】
さらに、Ｘ線制御装置本体１Ａは、各信号ポートＨ１〜Ｈ４，Ｋ１〜Ｋ８が通す制御信号の種類を信号ポートＨ１〜Ｈ４，Ｋ１〜Ｋ８と対応付けて指定された信号種類指定情報を記憶する信号種類記憶部１０を備えていて、各信号ポートＨ１〜Ｈ４，Ｋ１〜Ｋ８は信号種類記憶部１０に記憶されている信号種類指定情報によって指定される種類の制御信号を通す。
【００２６】
図２の医用Ｘ線撮影システムでは、Ｘ線撮像装置４や付属装置類を作動させるための各種の制御信号の種類を、Ｘ線制御装置本体１Ａの各信号ポートＨ１〜Ｈ４，Ｋ１〜Ｋ８と対応付けて指定された信号種類指定情報を信号種類記憶部１０に記憶する。Ｘ線制御装置１の制御によりＸ線撮影を実行する場合、信号種類記憶部１０に記憶されている信号種類指定情報が指定する種類の制御信号を通すとともに、信号ポートＨ１〜Ｈ４，Ｋ１〜Ｋ８を通過した制御信号による制御でＸ線撮像装置４や付属装置類が作動するのに伴ってＸ線撮影が進行する。
【００２７】
なお、信号種類記憶部１０への信号種類指定情報の記憶は、携帯式パーソナルコンピュータなどの外部制御装置１１や操作表示用パネル部１Ｂからの信号種類情報の入力により行われる。したがって、操作表示用パネル部１Ｂは情報入力手段としての機能も有しており、操作表示用パネル部１Ｂにより信号種類指定情報の表示および入力を行う。同様に、外部制御装置１１も情報入力手段としての機能を有している。
【００２８】
続いて、Ｘ線制御装置１の信号種類記憶部１０への信号種類指定情報の記憶の方法を説明する。先ず操作表示用パネル部１Ｂによる入力の方法について説明する。操作表示用パネル部１Ｂによって信号種類指定情報の入力を行う場合、操作スイッチ群８を操作し、図３に示すように、入力する信号種類指定情報が制御信号入力用または制御信号出力用のいずれであるかを選択する入力用・出力用情報選択画面ＰＡを表示モニタ９に表示する。
【００２９】
今から入力しようとする情報が制御信号出力用であるとすると、作業者は入力用・出力用情報選択画面ＰＡの中のＯＵＴＰＵＴのエリアに設けられている制御信号出力用選択用のタッチスイッチＴ１を指で押し、次に画面切り換え用のタッチスイッチＴ３を押す。
【００３０】
タッチスイッチＴ３が押されると直ちに表示モニタ９の表示は、図４に示す出力用情報作成画面ＰＢに切り換わる。出力用情報作成画面ＰＢには、信号ポートＫ１〜Ｋ８と対応付けて制御信号の種類を設定する信号種類設定欄ＱＡ１〜ＱＡ８と制御信号の種類を入力するテンキーＱＢが出現する。実施例装置の場合、制御信号の種類は数字で入力される。制御信号の種類に対応する数字は、取り扱い説明書等に制御信号の種類と数字を対応させて対照表として掲載されており、作業者は、取り扱い説明書の制御信号の種類と数字の対照表を見て、各信号ポートＫ１〜Ｋ８を通す制御信号に当たる数字をテンキーＱＢで入力する。
【００３１】
図５に示すように、信号種類設定欄ＱＡ１〜ＱＡ８の中の必要な欄（ここでは全ての欄）に制御信号の種類の数字を全て入力すると、最後に情報入力実行用のタッチスイッチＴ４を押す。そうすると、信号ポートＫ１〜Ｋ８が通す制御信号の種類を信号ポートＫ１〜Ｋ８と対応付けて指定された８個の信号種類指定情報が、Ｘ線制御装置本体１Ａの方へ送られて、メインコンピュータ６によって信号種類記憶部１０へ新規に記憶される。
【００３２】
また、記憶済の信号種類指定情報を更新して記憶する場合もある。つまり、信号種類指定情報の記憶を行おうとする段階で信号種類指定情報が既に記憶済であれば出力用情報作成画面ＰＢの信号種類設定欄ＱＡ１〜ＱＡ８に記憶中の数字（入力内容）が表示される。したがって、出力用情報作成画面ＰＢは出力用情報表示画面でもあり、信号種類記憶部１０の信号ポートＫ１〜Ｋ８についての記憶済の信号種類指定情報をチェックしたい場合は出力用情報作成画面ＰＢを表示モニタ９の画面に呼び出せばよい。
【００３３】
そして、更新記憶対象の信号種類設定欄ＱＡ１〜ＱＡ８の中の必要な欄にテンキーＱＢで変更したい制御信号の種類に対応する数字を上書きして入れる他は、上記と同様の操作を行えば、変更した信号種類指定情報が信号種類記憶部１０に更新して記憶される。
【００３４】
入力する信号種類指定情報が制御信号入力用である場合は、図３に示すように、作業者は入力用・出力用情報選択画面ＰＡの中のＩＮＰＵＴのエリアに設けられている制御信号出力用選択用のタッチスイッチＴ２を指で押して次に画面切り換え用のタッチスイッチＴ３を押すと、図６に示す入力用情報作成画面ＰＣが映し出される。後は新規記憶の時も更新記憶の時も、制御信号出力用の場合と同様にして、信号種類設定欄ＱＡａ〜ＱＡｄに制御信号の種類に対応する数字をテンキーＱＣで入力し、最後に情報入力実行用のタッチスイッチＴ５を押すと、４個の信号種類指定情報が、Ｘ線制御装置本体１Ａの方へ送られて、メインコンピュータ６によって信号種類記憶部１０へ記憶される。
【００３５】
次に、携帯式パーソナルコンピュータなどの外部制御装置１１による入力の方法について説明する。外部制御装置１１によってＸ線制御装置１の信号種類記憶部１０に信号種類指定情報を記憶する場合も、図１に示すように、外部制御装置１１をＸ線制御装置本体１Ａに信号ケーブルＣＢで接続した後は、外部制御装置１１に搭載されている操作スイッチ群１２や表示モニタ１３を使って操作を行う他は、操作表示用パネル部１Ｂを実質的に使って操作する場合と同様にして、信号種類指定情報の新規記憶や更新記憶を行うことができる。
【００３６】
続いて、Ｘ線制御装置１とは別体に必要に応じて設けられる付属装置類について具体的に説明する。実施例の場合の付属装置類としては、図２に示すように、曝射回数カウンタ５Ａ，選択管球表示ランプ５Ｂ，選択撮影台表示ランプ５Ｃ，メッセージ表示パネル５Ｄ，Ｘ線照射報知チャイム５Ｅが挙げられ、これらは検査室Ｔの壁面や操作室Ｏの壁面などの見易い位置に取り付けられたり、あるいは、時としてＸ線制御装置１に取り付けられたりする。
【００３７】
曝射回数カウンタ５ＡはＸ線の曝射回数をカウントして表示する。選択管球表示ランプ５Ｂは点灯して進行中のＸ線撮影でＸ線を照射するＸ線管２を表示する。選択撮影台表示ランプ５Ｃは点灯して進行中のＸ線撮影で仕様中の臥伏式撮影台３を表示する。メッセージ表示パネル５ＤはＸ線照射直前に注意指示（例えば「息を止めてください」等）を表示する。Ｘ線照射報知チャイム５ＥはＸ線照射が行われた瞬間に音を出してＸ線照射が行われたことを知らせる。
【００３８】
実施例のＸ線制御装置１では、信号種類記憶部１０に以下の制御信号の種類と信号ポートを対応付ける信号種類指定情報を記憶することにより、Ｘ線撮像装置４や上記の付属装置類（５Ａ〜５Ｅ）を作動させるための制御信号と各信号ポートの対応関係を設定する。個々の信号種類指定情報の入力の操作は前述した通りである。
制御信号出力用の信号ポートＫ１・・・撮影台選択信号
制御信号出力用の信号ポートＫ２・・・撮影準備完了信号
制御信号出力用の信号ポートＫ３・・・注意メッセージ信号
制御信号出力用の信号ポートＫ４・・・管球選択信号
制御信号出力用の信号ポートＫ５・・・曝射回数カウント用信号
制御信号出力用の信号ポートＫ６・・・チャイム報鳴信号
制御信号入力用の信号ポートＨ１・・・撮影開始命令信号
【００３９】
さらに必要に応じて、次のような制御信号の種類と信号ポートを対応付ける信号種類指定情報などを入力して記憶したりもする。
制御信号出力用の信号ポートＫ７・・・直接撮影用の撮影準備完了信号
制御信号出力用の信号ポートＫ８・・・間接撮影用の撮影準備完了信号
制御信号入力用の信号ポートＨ２・・・直接撮影用の撮影開始命令信号
制御信号入力用の信号ポートＨ３・・・間接撮影用の撮影開始命令信号
【００４０】
実際に臥伏ブッキ式Ｘ線撮影が実行される場合、信号ポートＫ１から撮影台選択信号が選択撮影台表示ランプ５Ｃへ出力されることによって、選択撮影台表示ランプ５Ｃが点灯し、臥伏式撮影台３が使用中であることを表示するとともに、信号ポートＫ４から管球選択信号が選択管球表示ランプ５Ｂへ出力されることによって、選択管球表示ランプ５Ｂが点灯し、Ｘ線管２が使用中であることを表示する。
【００４１】
撮影を開始する場合、信号ポートＫ３から注意メッセージ信号がメッセージ表示パネル５Ｄに出力されることにより、メッセージ表示パネル５Ｄに注意指示（例えば「息を止めてください」など）が表示される。続いて撮影準備が完了すると、信号ポートＫ２からＸ線撮像装置４へ撮影準備完了信号が出力される。
【００４２】
その後、Ｘ線撮像装置４から撮影開始命令信号が返送されて信号ポートＨ１に入力すると、メインコンピュータ６は高電圧発生部７からＸ線管２に高電圧が供給され、Ｘ線管２から被検体ＭにＸ線が照射される。
【００４３】
Ｘ線の照射が終わると、信号ポートＫ５から曝射回数カウンタ５Ａに曝射回数カウント用信号が送られ、曝射回数カウンタ５Ａの回数表示が１回増えるとともに、信号ポートＫ６からＸ線照射報知チャイム５Ｅにチャイム報鳴信号が出力され、Ｘ線照射報知チャイム５Ｅが鳴ってＸ線照射が行われたことを知らせる。
【００４４】
なお、実施例のＸ線制御装置１の場合、装置の出荷前にメーカ側で想定される標準装備仕様にしたがって信号種類記憶部１０に、例えば以下のように、制御信号の種類と信号ポートを対応付ける信号種類指定情報が記憶されることもある。
制御信号出力用の信号ポートＫ１・・・臥伏式撮影台用の撮影準備完了信号
制御信号出力用の信号ポートＫ２・・・臥伏式撮影台用の撮影準備完了信号
制御信号出力用の信号ポートＫ３・・・立位式撮影台用の撮影準備完了信号
制御信号出力用の信号ポートＫ４・・・立位式撮影台用の撮影準備完了信号
制御信号出力用の信号ポートＫ５・・・直接撮影用の撮影準備完了信号
制御信号出力用の信号ポートＫ６・・・間接撮影用の撮影準備完了信号
制御信号出力用の信号ポートＫ７・・・曝射回数カウント用信号了信号
制御信号出力用の信号ポートＫ８・・・曝射回数カウント用信号了信号
制御信号入力用の信号ポートＨ１・・・臥伏式撮影台用の撮影開始命令信号
制御信号入力用の信号ポートＨ２・・・立位式撮影台用の撮影開始命令信号
制御信号入力用の信号ポートＨ３・・・直接撮影用の撮影開始命令信号
制御信号入力用の信号ポートＨ４・・・間接撮影用の撮影開始命令信号
【００４５】
そして、実際にＸ線制御装置１に据え付ける顧客の側の装備仕様が標準装備仕様と異なる場合は、顧客の側の装備仕様に合わせて信号種類記憶部１０の信号種類指定情報を、前述のようにして更新して記憶することになる。
【００４６】
以上に述べたように、実施例のＸ線制御装置１の場合、外部装置類や必要に応じて設けられる付属装置類を作動させるための制御信号を通す信号ポートＨ１〜Ｈ４，Ｋ１〜Ｋ８と、各信号ポートＨ１〜Ｈ４，Ｋ１〜Ｋ８が通す制御信号の種類を信号ポートと対応付けて指定された信号種類指定情報を記憶する信号種類記憶部１０を備えている。制御信号と信号ポートとの対応関係を設定する場合、対応関係の設定に必要な信号種類指定情報が信号種類記憶手段に予め新規に記憶または予め更新して記憶されており、その記憶された指定種類指定情報に応じて、装置内部の配線をつなぎ変える大変な作業を行わずとも、制御信号と信号ポートとの対応関係を変更できる。よって、実施例のＸ線制御装置１によれば、外部装置類ないし付属装置類を作動させるための制御信号とＸ線制御装置１の信号ポートＨ１〜Ｈ４，Ｋ１〜Ｋ８との対応関係の設定を容易に行うことができる。
【００４７】
さらに、実施例のＸ線制御装置１の場合、Ｘ線制御装置１に備えられている操作表示用パネル部１Ｂによって信号種類記憶部１０に信号種類指定情報が記憶できるので、Ｘ線制御装置自体が制御信号と信号ポートとの対応関係を設定する機能を発揮できる。さらに、Ｘ線制御装置本体１Ａと別体で配設されている操作表示用パネル部１Ｂによって、撮影に必要な入力操作と情報の表示がＸ線制御装置本体１Ａから離れたところから行えるだけでなく、信号種類指定情報の表示および入力も、Ｘ線制御装置本体１Ａから離れたところから行える。
【００４８】
また、実施例のＸ線制御装置１では、信号種類指定情報の記憶に際してＸ線制御装置１に接続される外部制御装置１１が情報入力手段として機能して信号種類記憶部１０に信号種類指定情報を記憶するので、制御信号と信号ポートとの対応関係の設定を外部制御装置１１によって行うことができる。
【００４９】
この発明は、上記の実施例に限られるものではなく、以下のように変形実施することも可能である。
【００５０】
（１）実施例のＸ線制御装置１が、Ｘ線制御装置本体１Ａと操作表示用パネル部１Ｂに分離された構成であったが、この発明のＸ線制御装置は、Ｘ線制御装置本体と操作表示用パネル部とが一体化された構成であってもよい。
【００５１】
（２）実施例のＸ線制御装置１に接続される外部制御装置１１は携帯式のものであったが、外部制御装置１１は据え置き式のものであってもよい。
【００５２】
（３）実施例のＸ線制御装置１が用いられる医用Ｘ線撮影システムでのＸ線管の本数や撮影台の種類・台数は、実施例の種類・数に限られるものではなく、システムの構成に応じて選択されるものである。
【００５３】
（４）実施例ではＸ線管２が天井走行式のものであったが、Ｘ線管は床走行式のものや据え置き式のものであってもよい。
【００５４】
（５）実施例のＸ線制御装置１が用いられるＸ線撮影システムは、医用のものであったが、この発明のＸ線制御装置は、工業用あるいは原子力用のＸ線撮影システムにも適用できる。
【図面の簡単な説明】
【００５５】
【図１】実施例のＸ線制御装置の構成を示すブロック図である。
【図２】実施例のＸ線制御装置を用いた医用Ｘ線撮影システムを示す斜視図である。
【図３】実施例の装置で、入力しようとする信号種類指定情報が制御信号入力用または制御信号出力用の選択のための入力用・出力用情報選択画面を示す模式図である。
【図４】実施例の装置において、制御信号出力用の信号種類指定情報を作成する操作を行う前の出力用情報作成画面を示す模式図である。
【図５】実施例の装置において、制御信号出力用の信号種類指定情報を作成する操作を行った後の出力用情報作成画面を示す模式図である。
【図６】実施例の装置において、制御信号入力用の信号種類指定情報を作成する操作を行う前の入力用情報作成画面を示す模式図である。
【図７】従来のＸ線制御装置を用いた医用Ｘ線撮影システムを示す概略図である。
【符号の説明】
【００５６】
１            …Ｘ線制御装置
１Ａ          …Ｘ線制御装置本体
１Ｂ          …操作表示用パネル部（操作表示用手段）
２            …Ｘ線管（Ｘ線照射手段）
３            …臥伏式撮影台
３Ａ          …透過Ｘ線像受像部（透過Ｘ線像受像手段）
４            …Ｘ線撮像装置（外部装置類）
５Ａ          …曝射回数カウンタ（付属装置類）
５Ｂ          …選択管球表示ランプ（付属装置類）
５Ｃ          …選択撮影台表示ランプ（付属装置類）
５Ｄ          …メッセージ表示パネル（付属装置類）
５Ｅ          …Ｘ線照射報知チャイム（付属装置類）
１０          …信号種類記憶部（信号種類記憶手段）
１１          …外部制御装置（情報入力手段）
Ｍ            …被検体
Ｈ１〜Ｈ４    …信号ポート
Ｋ１〜Ｋ８    …信号ポート
【図１】
2005160692.tif 000003
【図２】
2005160692.tif 000004
【図３】
2005160692.tif 000005
【図４】
2005160692.tif 000006
【図５】
2005160692.tif 000007
【図６】
2005160692.tif 000008
【図７】
2005160692.tif 000009